(57)【要約】【課題】良好な光学性能を備えた光学系を提供する。【解決手段】光軸に沿って物体側から順に、負の屈折力を有する第１レンズ群Ｇ１と、正の屈折力を有する第２レンズ群Ｇ２とを有する光学系であって、無限遠物点から近距離物点への合焦の際、第１レンズ群Ｇ１が固定されて、第２レンズ群Ｇ２が移動し、第１レンズ群Ｇ１は、両凹形状の負レンズと両凸形状の正レンズとからなる接合レンズを有し、所定の条件式を満足するものとする。【選択図】図１
2015152811.tif 000002
【特許請求の範囲】
【請求項１】
光軸に沿って物体側から順に、負の屈折力を有する第１レンズ群と、正の屈折力を有する第２レンズ群とを有する光学系であって、
無限遠物点から近距離物点への合焦の際、前記第１レンズ群が固定されて、前記第２レンズ群が移動し、
前記第１レンズ群は、両凹形状の負レンズと両凸形状の正レンズとからなる接合レンズを有し、
以下の条件式を満足することを特徴とする光学系。
１．００＜ｎＮ／ｎＰ＜１．１５
ただし、
ｎＮ：前記両凹形状の負レンズの屈折率
ｎＰ：前記両凸形状の正レンズの屈折率
【請求項２】
以下の条件式を満足することを特徴とする請求項１に記載の光学系。
１．１０＜νＮ／νＰ＜１．８０
ただし、
νＮ：前記両凹形状の負レンズのアッベ数
νＰ：前記両凸形状の正レンズのアッベ数
【請求項３】
以下の条件式を満足することを特徴とする請求項１又は２に記載の光学系。
３．００＜（−ｆ１）／ｆ＜８．００
ただし、
ｆ１：前記第１レンズ群の焦点距離
ｆ  ：無限遠合焦状態での全系の焦点距離
【請求項４】
以下の条件式を満足することを特徴とする請求項１から請求項３のいずれか一項に記載の光学系。
１．００＜（−ｆ１）／ｆ２＜４．５０
ただし、
ｆ１：前記第１レンズ群の焦点距離
ｆ２：前記第２レンズ群の焦点距離
【請求項５】
前記第１レンズ群は、前記接合レンズよりも物体側に、少なくとも二つの負レンズ成分を有することを特徴とする請求項１から請求項４のいずれか一項に記載の光学系。
【請求項６】
前記第１レンズ群は、少なくとも二つの正レンズを有することを特徴とする請求項１から請求項５のいずれか一項に記載の光学系。
【請求項７】
前記第１レンズ群は、少なくとも一つの非球面を有することを特徴とする請求項１から請求項６のいずれか一項に記載の光学系。
【請求項８】
前記第２レンズ群は、少なくとも一つの非球面を有することを特徴とする請求項１から請求項７のいずれか一項に記載の光学系。
【請求項９】
請求項１から請求項８のいずれか一項に記載の光学系を備えたことを特徴とする光学装置。
【請求項１０】
光軸に沿って物体側から順に、負の屈折力を有する第１レンズ群と、正の屈折力を有する第２レンズ群とを有する光学系の製造方法であって、
無限遠物点から近距離物点への合焦の際、前記第１レンズ群が固定されて、前記第２レンズ群が移動するようにし、
前記第１レンズ群が、両凹形状の負レンズと両凸形状の正レンズとからなる接合レンズを有するようにし、
以下の条件式を満足するようにすることを特徴とする光学系の製造方法。
１．００＜ｎＮ／ｎＰ＜１．１５
ただし、
ｎＮ：前記両凹形状の負レンズの屈折率
ｎＰ：前記両凸形状の正レンズの屈折率
【発明の詳細な説明】
【技術分野】
【０００１】
本発明は、光学系、光学装置、及び光学系の製造方法に関する。 
【背景技術】
【０００２】
従来、写真用カメラ、電子スチルカメラ、ビデオカメラ等に適した広角レンズが提案されている（例えば、特許文献１を参照）。
【先行技術文献】
【特許文献】
【０００３】
【特許文献１】特開平８−１１０４６７号公報
【発明の概要】
【発明が解決しようとする課題】
【０００４】
しかしながら、従来の大口径広角レンズにおいては、良好な光学性能を達成するのは困難であるった。
【０００５】
本発明は、このような問題に鑑みてなされたものであり、良好な光学性能を備えた光学系および光学装置を提供することを目的とする。
【課題を解決するための手段】
【０００６】
上記課題を解決するために本発明は、 
光軸に沿って物体側から順に、負の屈折力を有する第１レンズ群と、正の屈折力を有する第２レンズ群とを有する光学系であって、
無限遠物点から近距離物点への合焦の際、前記第１レンズ群が固定されて、前記第２レンズ群が移動し、
前記第１レンズ群は、両凹形状の負レンズと両凸形状の正レンズとからなる接合レンズを有し、
以下の条件式を満足することを特徴とする光学系を提供する。
１．００＜ｎＮ／ｎＰ＜１．１５
ただし、
ｎＮ：前記両凹形状の負レンズの屈折率
ｎＰ：前記両凸形状の正レンズの屈折率
【０００７】
また、本発明は、前記光学系を有することを特徴とする光学装置を提供する。
【０００８】
また、上記課題を解決するために本発明では、
光軸に沿って物体側から順に、負の屈折力を有する第１レンズ群と、正の屈折力を有する第２レンズ群とを有する光学系の製造方法であって、
無限遠物点から近距離物点への合焦の際、前記第１レンズ群が固定されて、前記第２レンズ群が移動するようにし、
前記第１レンズ群が、両凹形状の負レンズと両凸形状の正レンズとからなる接合レンズを有するようにし、
以下の条件式を満足するようにすることを特徴とする光学系の製造方法を提供する。
１．００＜ｎＮ／ｎＰ＜１．１５
ただし、
ｎＮ：前記両凹形状の負レンズの屈折率
ｎＰ：前記両凸形状の正レンズの屈折率
【発明の効果】
【０００９】
本発明によれば、良好な光学性能を備えた光学系、光学装置、及び光学系の製造方法を提供することができる。
【図面の簡単な説明】
【００１０】
【図１】本願の第１実施例に係る光学系のレンズ構成を示す図である。
【図２】（ａ）、及び（ｂ）はそれぞれ、第１実施例に係る光学系の無限遠合焦時の諸収差図、及び近距離合焦時の諸収差図である。
【図３】本願の第２実施例に係る光学系のレンズ構成を示す図である。
【図４】（ａ）、及び（ｂ）はそれぞれ、第２実施例に係る光学系の無限遠合焦時の諸収差図、及び近距離合焦時の諸収差図である。
【図５】本願の第３実施例に係る光学系のレンズ構成を示す図である。
【図６】（ａ）、及び（ｂ）はそれぞれ、第３実施例に係る光学系の無限遠合焦時の諸収差図、及び近距離合焦時の諸収差図である。
【図７】本願の第４実施例に係る光学系のレンズ構成を示す図である。
【図８】（ａ）、及び（ｂ）はそれぞれ、第４実施例に係る光学系の無限遠合焦時の諸収差図、及び近距離合焦時の諸収差図である。
【図９】本願の光学系を備えたカメラの構成を示す図である。
【図１０】本願の光学系の製造方法の概略を示す図である。
【発明を実施するための形態】
【００１１】
以下、本願の実施形態に係る光学系、光学装置、及び光学系の製造方法について図面を参照しつつ説明する。なお、以下の実施の形態は、発明の理解を容易にするためのものに過ぎず、本願発明の技術的思想を逸脱しない範囲において当業者により実施可能な付加・置換等を施すことを排除することは意図していない。
【００１２】
本願の光学系は、物体側から順に、負の屈折力を有する第１レンズ群と、正の屈折力を有する第２レンズ群とからなる光学系であって、
無限遠物点から近距離物点への合焦の際、前記第１レンズ群が固定されて、前記第２レンズ群が移動し、
前記第１レンズ群は、両凹形状の負レンズと、両凸形状の正レンズとの接合レンズを有する。
【００１３】
本願の光学系は、物体側から順に、負の屈折力を有する第１レンズ群と、正の屈折力を有する第２レンズ群とから構成されることにより、鏡筒を小型化できると共に、各収差を良好に補正することができる。また、無限遠物点から近距離物点への合焦の際、第１レンズ群が固定されて、第２レンズ群が移動することによって、鏡筒を小型化できると共に、合焦による収差変動を良好に補正することができる。
【００１４】
また、本願の光学系は、前記両凹形状の負レンズの屈折率をｎＮとし、前記両凸形状の正レンズの屈折率をｎＰとしたとき、以下の条件式（１）を満足するように構成されている。
（１）  １．００＜ｎＮ／ｎＰ＜１．１５
【００１５】
上記条件式（１）は、第１レンズ群が有する接合レンズを構成する両凹形状の負レンズの屈折率と両凸形状の正レンズの屈折率の比を規定するものである。この条件式（１）を満足することで、球面収差とコマ収差を良好に補正することができる。
【００１６】
条件式（１）の上限値を上回ると、貼り合せ面における負の屈折力が強くなりすぎるため、球面収差とコマ収差の補正が困難となる。なお、条件式（１）の上限値を１．１３に設定することで、本願の効果をより確実なものとすることができる。また、条件式（１）の上限値を１．１２に設定することで、本願の効果を更に確実なものとすることができる。
【００１７】
一方、条件式（１）の下限値を下回ると、貼り合せ面における負の屈折力が弱くなってしまうため、球面収差とコマ収差の補正が困難となる。なお、条件式（１）の下限値を１．０３に設定することで、本願の効果をより確実なものとすることができる。また、条件式（１）の下限値を１．０５に設定することで、本願の効果を更に確実なものとすることができる。
【００１８】
以上の構成により良好な光学性能を備えた光学系を実現することができる。
【００１９】
また本願の光学系は、前記両凹レンズのアッベ数をνＮとし、前記両凸形状の正レンズのアッベ数をνＰとしたとき、以下の条件式（２）を満足することが望ましい。
（２）  １．１０＜νＮ／νＰ＜１．８０
【００２０】
条件式（２）は、第１レンズ群が有する接合レンズを構成する両凹形状の負レンズのアッベ数と両凸形状の正レンズのアッベ数の比を規定するものである。この条件式（２）を満足することで、色収差を良好に補正することができる。
【００２１】
条件式（２）の上限値を上回ると、色収差補正が過大となってしまう。なお、条件式（２）の上限値を１．７０に設定することで、本願の効果をより確実なものとすることができる。また、条件式（２）の上限値を１．６０に設定することで、本願の効果を更に確実なものとすることができる。
【００２２】
一方、条件式（２）の下限値を下回ると、色収差補正が不足してしまう。なお、条件式（２）の下限値を１．２０に設定することで、本願の効果をより確実なものとすることができる。また、条件式（２）の下限値を１．３０に設定することで、本願の効果を更に確実なものとすることができる。
【００２３】
また本願の光学系は、前記第１レンズ群の焦点距離をｆ１とし、無限遠合焦状態での全系の焦点距離をｆとしたとき、以下の条件式（３）を満足することが望ましい。
（３）  ３．００＜（−ｆ１）／ｆ＜８．００
【００２４】
条件式（３）は、第１レンズ群の焦点距離と無限遠合焦状態での全系の焦点距離との比を規定するものである。この条件式（３）を満足することで、さらに良好な光学性能を実現と十分なバックフォーカスの確保ができる。
【００２５】
条件式（３）の上限値を上回ると、第１レンズ群の屈折力が弱くなり、所定の画角を得るために第２レンズ群が強くなり、球面収差とコマ収差の補正が困難となる。また、十分なバックフォーカスの確保が困難となる。なお、条件式（３）の上限値を７．００に設定することで、本願の効果をより確実なものとすることができる。また、条件式（３）の上限値を６．５０に設定することで、本願の効果を更に確実なものとすることができる。
【００２６】
一方、条件式（３）の下限値を下回ると、第１レンズ群の屈折力が強くなり、像面湾曲と歪曲収差の補正が困難となる。なお、条件式（３）の下限値を４．００に設定することで、本願の効果をより確実なものとすることができる。また、条件式（３）の下限値を４．５０に設定することで、本願の効果を更に確実なものとすることができる。
【００２７】
また本願の光学系は、前記第１レンズ群の焦点距離をｆ１とし、前記第２レンズ群の焦点距離をｆ２としたとき、以下の条件式（４）を満足することが望ましい。
（４）  １．００＜（−ｆ１）／ｆ２＜４．５０
【００２８】
条件式（４）は、第１レンズ群の焦点距離と第２レンズ群の焦点距離との比を規定するものである。この条件式（４）を満足することで、さらに良好な光学性能を実現することができる。
【００２９】
条件式（４）の上限値を上回ると、第２レンズ群の屈折力が強くなり、球面収差とコマ収差の補正が困難となる。なお、条件式（４）の上限値を３．５０に設定することで、本願の効果をより確実なものとすることができる。また、条件式（４）の上限値を３．３０に設定することで、本願の効果を更に確実なものとすることができる。
【００３０】
一方、条件式（４）の下限値を下回ると、第１レンズ群の屈折力が強くなり、像面湾曲と歪曲収差の補正が困難となる。なお、条件式（４）の下限値を１．９０に設定することで、本願の効果をより確実なものとすることができる。また、条件式（４）の下限値を２．１０に設定することで、本願の効果を更に確実なものとすることができる。
【００３１】
また本願の光学系は、第１レンズ群が、前記接合レンズよりも物体側に少なくとも二つの負レンズを有することが好ましい。この構成により、コマ収差、像面湾曲、歪曲収差を良好に補正することができる。    
【００３２】
また本願の光学系は、第１レンズ群が少なくとも二つの正レンズを有することが好ましい。この構成により、諸収差を良好に補正することができる。
【００３３】
また本願の光学系は、第１レンズ群に少なくとも一つの非球面を有することが好ましい。これにより、像面湾曲、歪曲収差を良好に補正することができる。
【００３４】
また本願の光学系は、第２レンズ群に少なくとも一つの非球面を有することが好ましい。これにより、諸収差を良好に補正することができる。
【００３５】
また本願の光学装置は、上述した構成の光学系を備えていることを特徴とする。これにより、良好な光学性能を備えた光学装置を実現することができる。
【００３６】
本願の光学系の製造方法は、光軸に沿って物体側から順に、負の屈折力を有する第１レンズ群と、正の屈折力を有する第２レンズ群とを有する光学系の製造方法であって、無限遠物点から近距離物点への合焦の際、前記第１レンズ群が固定されて、前記第２レンズ群が移動するようにし、前記第１レンズ群が、両凹形状の負レンズと両凸形状の正レンズとからなる接合レンズを有するようにし、前記両凹形状の負レンズの屈折率をｎＮとし、前記両凸形状の正レンズの屈折率をｎＰとしたとき、以下の条件式（１）を満足するようにすることを特徴とする。
（１）  １．００＜ｎＮ／ｎＰ＜１．１５
【００３７】
これにより、良好な光学性能を備えた光学系を製造することができる。
【００３８】
以下、本願の数値実施例に係る光学系を添付図面に基づいて説明する。
【００３９】
（第１実施例） 
図１は、本願の第１実施例に係る光学系のレンズ構成を示す図である。
【００４０】
本実施例に係る光学系は、物体側から順に負の屈折力を有する第１レンズ群Ｇ１と、正の屈折力を有する第２レンズ群Ｇ２とから構成されている。
【００４１】
第１レンズ群Ｇ１は、物体側から順に、物体側に凸面を向けた負メニスカスレンズＬ１１と、物体側に凸面を向けた負メニスカスレンズＬ１２と、両凹形状の負レンズＬ１３と両凸形状の正レンズＬ１４との接合負レンズと、物体側に凸面を向けた負メニスカスレンズＬ１５と両凸形状の正レンズＬ１６との接合正レンズとからなる。第１レンズ群Ｇ１の負メニスカスレンズＬ１２は、像側レンズ面に非球面形状の薄いプラスチック樹脂層を備えている。
【００４２】
第２レンズ群Ｇ２は、物体側から順に、両凸形状の正レンズＬ２１と、物体側に凸面を向けた負メニスカスレンズＬ２２と、開口絞りＳと、両凹形状の負レンズＬ２３と両凸形状の正レンズＬ２４との接合負レンズと、両凸形状の正レンズＬ２５と、物体側に凹面を向けた正メニスカスレンズＬ２６とからなる。第２レンズ群Ｇ２の正メニスカスレンズＬ２６は、物体側レンズ面に非球面形状の薄いプラスチック樹脂層を備えている。
【００４３】
本実施例に係る光学系では、第２レンズ群Ｇ２を物体側へ移動させることにより、無限遠物点から近距離物点への合焦が行われる。
【００４４】
以下の表１に、本実施例に係る光学系の諸元の値を掲げる。
【００４５】
［面データ]において、「面番号」は物体側から数えたレンズ面の順番を、「r」はレンズ面の曲率半径を、「d」は間隔（第ｎ面（ｎは整数）と第ｎ＋１面との間隔）を、「nd」はd線（波長λ=587.6nm）に対する屈折率を、「νd」はd線（波長λ=587.6nm）に対するアッベ数をそれぞれ示している。また、「物面」は物体面を、「可変」は可変の面間隔を、「絞り」は開口絞りSを、「BF」はバックフォーカスを、「像面」は像面Iをそれぞれ示している。なお、曲率半径「ｒ」において「∞」は平面を示し、空気の屈折率nd=1.00000の記載は省略している。 また、非球面には面番号に「*」を付して曲率半径ｒの欄には近軸曲率半径を示している。
【００４６】
［非球面データ］には、［面データ］に示した非球面について、その形状を次式で表した場合の非球面係数及び円錐定数を示す。
ｘ＝（ｈ２／ｒ）／［１＋｛１−κ（ｈ／ｒ）２｝１／２］ 
＋Ａ４ｈ４＋Ａ６ｈ６＋Ａ８ｈ８＋Ａ１０ｈ１０
ここで、「ｘ」は光軸から垂直方向の高さｈにおける各非球面の頂点の接平面から光軸方向に沿った距離（サグ量）、「κ」は円錐定数、「Ａ４」,「Ａ６」,「Ａ８」,「Ａ１０」は非球面係数、「ｒ」は基準球面の曲率半径（近軸曲率半径）とする。また、「E−n」（n：整数）は「×10-n」を示し、例えば「1.234E-05」は「1.234×10-5」を示す。 
【００４７】
［各種データ］において、「ｆ」は焦点距離を、「FNO」はＦナンバーを、「ω」は半画角（単位は「°」）を、「Ymax」は最大像高を、「TL」は光学系全長を、「BF」はバックフォーカスを、それぞれ示す。なお、「無限遠」は無限遠物点への合焦時、「近距離」は近距離物点への合焦時をそれぞれ示す。
【００４８】
［可変間隔データ］において、「ｄｎ」は第ｎ面と第ｎ＋１面の可変の面間隔を示している。また、「無限遠」は無限遠物点への合焦時、「近距離」は近距離物点への合焦時をそれぞれ示す。 
【００４９】
［レンズ群データ］には、各レンズ群の始点と焦点距離ｆを示している。
［条件式対応値］には、本実施例に係る変倍光学系の各条件式の対応値を示している。
【００５０】
ここで、表1に掲載されている焦点距離fや曲率半径r、及びその他長さの単位は一般に「ｍｍ」が使われる。しかしながら光学系は、比例拡大又は比例縮小しても同等の光学性能が得られるため、これに限られるものではない。 
【００５１】
なお、以上に述べた表１の符号は、後述する各実施例の表においても同様に用いるものとする。 
【００５２】
［表１］ 
[面データ] 
面番号      r        d          nd          νd 
物面         ∞ 
1       42.7083    1.600     1.80400       46.60 
2       21.2254    6.000            
3       30.0000    1.600     1.60300       65.44 
4       18.4741    0.150     1.51380       52.90 
5*      13.9070   14.589          
6      -61.2658    1.600     1.80400       46.60 
7       51.7610    7.281     1.67270       32.19 
8      -64.2828    0.200            
9       39.8012    1.500     1.84666       23.78 
10      20.2492    9.393     1.69895       30.13 
11    -175.8648    可変           
12      30.2644    7.333     1.58913       61.22 
13     -56.9793    0.200          
14     104.0377    1.000     1.84666       23.78 
15      42.0008    4.222            
16(絞り)     ∞    7.446           
17     -18.9731    1.500     1.83400       37.18 
18      36.9800    5.003     1.60300       65.44 
19     -56.5835    0.150          
20      52.3497    7.600     1.59319       67.90 
21     -25.6494    0.220          
22*   -559.2270    0.150     1.51380       52.90 
23    -130.5124    2.526     1.60311       60.69 
24     -60.8555    BF             
像面         ∞ 
[非球面データ]
第5面 
κ   =  -1.3143
Ａ４  =   7.38482E-05
Ａ６  =  -1.77227E-07
Ａ８  =   4.56173E-10
Ａ１０ =  -7.16173E-13
第22面 
κ   =   1.0000
Ａ４  =  -2.00456E-05
Ａ６  =  -1.00687E-08
Ａ８  =  -6.49133E-11
Ａ１０ =   0.00000E+00
［各種データ］ 
f      20.6
FNO     1.86
ω     47.01
Ymax   21.6
TL    127.07
BF     38.55
［可変間隔データ］
無限遠      近距離
d11    7.254       6.536
［レンズ群データ］ 
群    始面         ｆ 
1        1      -102.972 
2       12        43.147 
［条件式対応値］ 
（１）ｎＮ／ｎＰ = 1.078
（２）νＮ／νＰ = 1.448
（３）（−ｆ１）／ｆ = 4.999
（４）（−ｆ１）／ｆ２ = 2.387
【００５３】
図２（ａ）、及び図２（ｂ）はそれぞれ、第１実施例に係る光学系の無限遠合焦時の諸収差図、及び近距離合焦時の諸収差図である。
【００５４】
図２の各収差図において、「FNO」はFナンバー、「NA」は開口数、「Y」は像高をそれぞれ示す。なお、球面収差図では最大口径に対応するFナンバーまたは開口数の値を示し、非点収差図及び歪曲収差図では像高の最大値をそれぞれ示し、コマ収差図では各像高の値を示す。dはd線（波長λ=587.6nm）、gはg線（波長λ=435.8nm）をそれぞれ示す。非点収差図において、実線はサジタル像面、破線はメリディオナル像面をそれぞれ示す。なお、以下に示す各実施例の収差図においても、本実施例と同様の符号を用いる。 
【００５５】
各諸収差図より、本実施例に係る光学系は、良好な光学性能を有していることが分かる。
【００５６】
（第２実施例） 
図３は、本願の第２実施例に係る光学系のレンズ構成を示す図である。
【００５７】
本実施例に係る光学系は、物体側から順に負の屈折力を有する第１レンズ群Ｇ１と、正の屈折力を有する第２レンズ群Ｇ２とから構成されている。
【００５８】
第１レンズ群Ｇ１は、物体側から順に、物体側に凸面を向けた負メニスカスレンズＬ１１と、物体側に凸面を向けた負メニスカスレンズＬ１２と、両凹形状の負レンズＬ１３と両凸形状の正レンズＬ１４との接合負レンズと、両凸形状の正レンズＬ１５とからなる。
【００５９】
第１レンズ群Ｇ１の負メニスカスレンズＬ１２は、像側レンズ面に非球面形状の薄いプラスチック樹脂層を備えている。
【００６０】
第２レンズ群Ｇ２は、物体側から順に、両凸形状の正レンズＬ２１と、物体側に凸面を向けた負メニスカスレンズＬ２２と、開口絞りＳと、両凹形状の負レンズＬ２３と両凸形状の正レンズＬ２４との接合負レンズと、両凸形状の正レンズＬ２５と、物体側に凹面を向けた正メニスカスレンズＬ２６とからなる。第２レンズ群Ｇ２の正メニスカスレンズＬ２６は、物体側レンズ面に非球面形状の薄いプラスチック樹脂層を備えている。本実施例に係る光学系では、第２レンズ群Ｇ２を物体側へ移動させることにより、無限遠物点から近距離物点への合焦が行われる。
【００６１】
以下の表２に、本第２実施形態に係る光学系の諸元の値を掲げる。
【００６２】
［表２］
[面データ] 
面番号     r         d          nd      νd 
物面         ∞ 
1       48.2468    1.600     1.80400   46.60  
2       21.5317    6.000            
3       30.0000    1.600     1.52795   68.28 
4       19.8344    0.150     1.51380   52.90 
5*      14.7238   13.667            
6      -74.7749    1.600     1.80400   46.60 
7       72.4317    8.121     1.67270   32.18 
8      -63.2299    0.200            
9       60.8345    8.154     1.84514   33.84 
10    -434.3004    可変       
11      23.0797    7.553     1.48749   70.32 
12     -63.5909    0.200            
13      50.5516    1.000     1.84666   23.80 
14      28.3652    4.227            
15(絞り)     ∞    5.261            
16     -17.2051    1.500     1.83400   37.18 
17      34.9258    5.319     1.60300   65.44 
18     -44.0918    0.150            
19      50.4460    7.750     1.59319   67.90 
20     -24.2798    0.220            
21*   -172.1011    0.150     1.51380   52.90 
22     -86.2363    2.563     1.60311   60.69 
23     -49.1442     BF        
像面      ∞ 
[非球面データ]
第5面 
κ   =  -1.0411
Ａ４  =   5.01117E-05
Ａ６  =  -8.60130E-08
Ａ８  =   1.68544E-10
Ａ１０ =  -2.56236E-13
第21面 
κ   =   1.0000
Ａ４  =  -2.30189E-05
Ａ６  =  -8.99152E-09
Ａ８  =  -1.01642E-10
Ａ１０ =   0.00000E+00
［各種データ］ 
f      20.6
FNO     1.85
ω     47.02
Ymax   21.6
TL    122.69
BF     38.55
［可変間隔データ］
無限遠      近距離
d10   7.152      6.444
［レンズ群データ］ 
群    始面         ｆ 
1        1      -129.410 
2       11        41.520 
［条件式対応値］ 
（１）ｎＮ／ｎＰ = 1.078
（２）νＮ／νＰ = 1.448
（３）（−ｆ１）／ｆ = 6.282
（４）（−ｆ１）／ｆ２ = 3.117
【００６３】
図４（ａ）、及び図４（ｂ）はそれぞれ、第２実施例に係る光学系の無限遠合焦時の諸収差図、及び近距離合焦時の諸収差図である。
【００６４】
各諸収差図より、本実施例に係る光学系は、良好な光学性能を有していることが分かる。
【００６５】
（第３実施例） 
図５は、本願の第３実施例に係る光学系のレンズ構成を示す図である。
【００６６】
本実施例に係る光学系は、物体側から順に負の屈折力を有する第１レンズ群Ｇ１と、正の屈折力を有する第２レンズ群Ｇ２とから構成されている。
【００６７】
第１レンズ群Ｇ１は、物体側から順に、物体側に凸面を向けた負メニスカスレンズＬ１１と、物体側に凸面を向けた負メニスカスレンズＬ１２と、両凹形状の負レンズＬ１３と両凸形状の正レンズＬ１４との接合負レンズと、物体側に凸面を向けた負メニスカスレンズＬ１５と両凸形状の正レンズＬ１６との接合正レンズとからなる。
【００６８】
第１レンズ群Ｇ１の負メニスカスレンズＬ１２は、像側レンズ面に非球面形状の薄いプラスチック樹脂層を備えている。
【００６９】
第２レンズ群Ｇ２は、物体側から順に、両凸形状の正レンズＬ２１と、両凸形状の正レンズＬ２２と両凹形状の負レンズＬ２３との接合負レンズと、開口絞りＳと、両凹形状の負レンズＬ２４と両凸形状の正レンズＬ２５との接合負レンズと、両凸形状の正レンズＬ２６と、物体側に凹面を向けた正メニスカスレンズＬ２７とからなる。第２レンズ群Ｇ２の正メニスカスレンズＬ２７は、物体側レンズ面に非球面形状の薄いプラスチック樹脂層を備えている。
【００７０】
本実施例に係る光学系では、第２レンズ群Ｇ２を物体側へ移動させることにより、無限遠物点から近距離物点への合焦が行われる。
【００７１】
以下の表３に、本第３実施例に係る光学系の諸元の値を掲げる。
［表３］
［面データ］
面番号      r        d          nd         νd 
物面         ∞ 
1       41.3480    1.600     1.80400       46.60 
2       20.3078    6.232            
3       30.0000    1.600     1.60300       65.44 
4       18.1246    0.150     1.51380       52.90 
5*      13.6834   13.806            
6      -63.9558    1.600     1.80400       46.60 
7       44.6674    7.036     1.66994       31.18 
8      -79.3302    0.200            
9       35.7393    1.500     1.84666       23.80 
10      20.0038    9.700     1.65173       32.53 
11    -105.7642    可変             
12      30.8938    7.732     1.56156       58.15 
13     -50.3021    0.200            
14      90.2285    2.922     1.69819       54.02 
15    -144.6643    1.000     1.85018       32.09 
16      48.1583    3.496            
17(絞り)     ∞    5.688            
18     -18.2801    1.500     1.83400       37.18 
19      33.9701    4.971     1.60300       65.44 
20     -58.8429    0.150            
21      55.5204    7.565     1.59319       67.90 
22     -24.4446    0.220            
23*   -756.3285    0.150     1.51380       52.90
24    -111.8903    2.383     1.60311       60.69
25     -61.6125     BF        
像面         ∞ 
[非球面データ]
第5面 
κ   =  -1.4095
Ａ４  =   8.18041E-05
Ａ６  =  -2.21284E-07
Ａ８  =   6.11726E-10
Ａ１０ =  -1.04990E-12
第23面 
κ   =   1.0000
Ａ４  =  -2.03125E-05
Ａ６  =  -9.06895E-09
Ａ８  =  -7.65663E-11
Ａ１０ =   0.00000E+00
［各種データ］ 
f      20.6
FNO     1.86
ω     47.00
Ymax   21.6
TL    126.30
BF     38.55
［可変間隔データ］
無限遠      近距離
d11    7.398       6.674
［レンズ群データ］ 
群      始面        ｆ 
1        1       -92.893 
2       12        43.684 
［条件式対応値］ 
（１）ｎＮ／ｎＰ = 1.080
（２）νＮ／νＰ = 1.495
（３）（−ｆ１）／ｆ = 4.509
（４）（−ｆ１）／ｆ２ = 2.127
【００７２】
図６（ａ）、及び図６（ｂ）はそれぞれ、第３実施例に係る光学系の無限遠合焦時の諸収差図、及び近距離合焦時の諸収差図である。
【００７３】
各諸収差図より、本実施例に係る光学系は、良好な光学性能を有していることが分かる。
【００７４】
（第４実施例） 
図７は、本願の第４実施例に係る光学系のレンズ構成を示す図である。
【００７５】
本実施例に係る光学系は、物体側から順に負の屈折力を有する第１レンズ群Ｇ１と、正の屈折力を有する第２レンズ群Ｇ２とから構成されている。
【００７６】
第１レンズ群Ｇ１は、物体側から順に、物体側に凸面を向けた負メニスカスレンズＬ１１と、物体側に凸面を向けた負メニスカスレンズＬ１２と、両凹形状の負レンズＬ１３と両凸形状の正レンズＬ１４との接合負レンズと、両凸形状の正レンズＬ１５と物体側に凹面を向けた負メニスカスレンズＬ１６との接合正レンズとからなる。第１レンズ群Ｇ１の負メニスカスレンズＬ１２は、像側レンズ面に非球面形状の薄いプラスチック樹脂層を備えている。
【００７７】
第２レンズ群Ｇ２は、物体側から順に、物体側に凸面を向けた負メニスカスレンズＬ２１と、両凸形状の正レンズＬ２２と、開口絞りＳと、両凹形状の負レンズＬ２３と両凸形状の正レンズＬ２４との接合負レンズと、両凸形状の正レンズＬ２５と、物体側に凹面を向けた正メニスカスレンズＬ２６とからなる。第２レンズ群Ｇ２の正メニスカスレンズＬ２６は、物体側レンズ面に非球面形状の薄いプラスチック樹脂層を備えている。
【００７８】
本実施例に係る光学系では、第２レンズ群Ｇ２を物体側へ移動させることにより、無限遠物点から近距離物点への合焦が行われる。
【００７９】
以下の表４に、本第４実施例に係る変倍光学系の諸元の値を掲げる。
【００８０】
［表４］
[面データ] 
面番号      r        d          nd          νd 
物面         ∞ 
1       40.2321    1.600     1.81600       46.59 
2       20.7967    6.000            
3       30.0387    2.000     1.69680       55.52 
4       20.0000    0.250     1.51380       52.90 
5*      15.4000   13.510            
6      -43.2179    1.500     1.81600       46.59 
7       28.8497    8.977     1.64381       33.19 
8      -52.7604    0.200            
9       53.9895    9.118     1.78969       30.76 
10     -26.4391    1.500     1.84666       23.80 
11     -98.7498    可変             
12    9334.1337    1.500     1.84666       23.80 
13     101.7421    0.200            
14      26.5860    7.765     1.64401       59.56 
15     -81.2653    5.053            
16(絞り)     ∞    4.920            
17     -21.7302    1.500     1.85026       32.35 
18      22.6475    5.709     1.63039       36.66 
19    -227.1381    0.200            
20      46.8912    7.492     1.59319       67.90 
21     -23.6366    0.200            
22*  -1258.4860    0.150     1.51380       52.90 
23    -130.5124    2.698     1.81600       46.59 
24    -105.5491     BF        
像面         ∞ 
[非球面データ]
第5面 
κ   =   0.0000
Ａ４  =   5.22368E-06
Ａ６  =  -1.11538E-08
Ａ８  =  -3.31001E-11
Ａ１０ =  -1.08011E-13
第22面 
κ   =   1.0000
Ａ４  =  -2.30781E-05
Ａ６  =  -1.79410E-08
Ａ８  =  -1.01714E-10
Ａ１０ =   0.00000E+00
［各種データ］ 
f      20.6
FNO     1.86
ω     47.09
Ymax   21.6
TL    128.85
BF     38.55
［可変間隔データ］
無限遠      近距離
d11    8.258       7.549
［レンズ群データ］ 
群    始面         ｆ 
1        1      -119.999 
2       12        44.272 
［条件式対応値］ 
（１）ｎＮ／ｎＰ = 1.105
（２）νＮ／νＰ = 1.377
（３）（−ｆ１）／ｆ = 5.825
（４）（−ｆ１）／ｆ２ = 2.711
【００８１】
図８（ａ）、及び図８（ｂ）はそれぞれ、第４実施例に係る光学系の無限遠合焦時の諸収差図、及び近距離合焦時の諸収差図である。
【００８２】
各諸収差図より、本実施例に係る光学系は、良好な光学性能を有していることが分かる。
【００８３】
上記各実施例によれば、良好な光学性能を備えた変倍光学系を実現することができる。
【００８４】
なお、上記各実施例は本願発明の一具体例を示しているものであり、本願発明はこれらに限定されるものではない。以下の内容は、本願の光学系の光学性能を損なわない範囲で適宜採用することが可能である。
【００８５】
本願の光学系の数値実施例として２群構成のものを示したが、本願はこれに限られず、その他の群構成（例えば、３群、４群等）の光学系を構成することもできる。具体的には、本願の光学系の最も物体側や最も像面側にレンズ又はレンズ群を追加した構成でも構わない。なお、レンズ群とは、合焦時に変化する空気間隔で分離された、少なくとも1枚のレンズを有する部分を示す。
【００８６】
また、本願の光学系は、無限遠物点から近距離物点への合焦を行うために、レンズ群の一部、１つのレンズ群全体、或いは複数のレンズ群を合焦レンズ群として光軸方向へ移動させる構成としてもよい。特に、第２レンズ群の少なくとも一部を合焦レンズ群とすることが好ましい。また、斯かる合焦レンズ群は、オートフォーカスに適用することも可能であり、オートフォーカス用のモータ、例えば超音波モータ等による駆動にも適している。
【００８７】
また、本願の光学系において、第１レンズ群又は第２レンズ群の一部を、防振レンズ群として光軸に垂直な成分を含むように移動させ、又は光軸を含む面内方向へ回転移動（揺動）させることで、手ブレ等によって生じる像ブレを補正する構成とすることができる。
【００８８】
また、本願の光学系を構成するレンズのレンズ面は、球面又は平面としてもよく、或いは非球面としてもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。 
【００８９】
また、本願の光学系において開口絞りは第２レンズ群内に配置されることが好ましいが、開口絞りとして部材を設けずにレンズ枠でその役割を代用する構成としてもよい。
【００９０】
また、本願の光学系を構成するレンズのレンズ面に、広い波長域で高い透過率を有する反射防止膜を施してもよい。これにより、フレアやゴーストを軽減し、高コントラストの高い光学性能を達成することができる。 
【００９１】
次に、本願の光学系を備えたカメラを図９に基づいて説明する。図９は、本願の光学系を備えたカメラの構成を示す図である。 
【００９２】
本カメラ１は、図９に示すように撮影レンズ２として上記第１実施例に係る変倍光学系を備えたレンズ交換式の所謂ミラーレスカメラである。 
【００９３】
本カメラ１において、不図示の物体（被写体）からの光は、撮影レンズ２で集光されて、不図示のＯＬＰＦ（Optical low pass filter：光学ローパスフィルタ）を介して撮影部３の撮像面上に被写体像を形成する。そして、撮影部３に設けられた光電変換素子により被写体像が光電変換されて被写体の画像が生成される。この画像は、カメラ１に設けられたＥＶＦ（Electronic view finder：電子ビューファインダ）４に表示される。これにより撮影者は、ＥＶＦ４を介して被写体を観察することができる。
【００９４】
また、撮影者によって不図示のレリーズボタンが押されると、撮影部３により光電変換された画像が不図示のメモリに記憶される。このようにして、撮影者は本カメラ１による被写体の撮影を行うことができる。
【００９５】
以上の構成により、上記第１実施例に係る光学系を撮影レンズ２として搭載した本カメラ１は、良好な光学性能を有し、高性能な撮影を実現することができる。なお、上記第２実施例、上記第３実施例、上記第４実施例に係る光学系を撮影レンズ２として搭載したカメラを構成しても上記カメラ１と同様の効果を奏することができる。 
【００９６】
以下、本願の光学系の製造方法の概略を図１０に基づいて説明する。
【００９７】
図１０に示す本願の光学系の製造方法は、光軸に沿って物体側から順に、負の屈折力を有する第１レンズ群と、正の屈折力を有する第２レンズ群とを有する光学系の製造方法であって、以下のステップＳ１ないしＳ３を含むものである。
ステップＳ１：無限遠物点から近距離物点への合焦の際、前記第１レンズ群が固定されて、前記第２レンズ群が移動するようにする。
ステップＳ２：前記第１レンズ群が、両凹形状の負レンズと両凸形状の正レンズとからなる接合レンズを有するようにする。
ステップＳ３：前記両凹形状の負レンズの屈折率をｎＮとし、前記両凸形状の正レンズの屈折率をｎＰとしたとき、以下の条件式（１）を満足するようにする。
（１）  １．００＜ｎＮ／ｎＰ＜１．１５
【００９８】
以上の製造方法によれば、良好な光学性能を備えた光学系を製造することができる。
【符号の説明】
【００９９】
Ｇ１    第１レンズ群 
Ｇ２    第２レンズ群 
Ｉ      像面 
Ｓ      開口絞り
１      カメラ
２      撮影レンズ
３      撮影部
４      ＥＶＦ
【図１】
2015152811.tif 000003
【図２】
2015152811.tif 000004
【図３】
2015152811.tif 000005
【図４】
2015152811.tif 000006
【図５】
2015152811.tif 000007
【図６】
2015152811.tif 000008
【図７】
2015152811.tif 000009
【図８】
2015152811.tif 000010
【図９】
2015152811.tif 000011
【図１０】
2015152811.tif 000012